(57)【要約】【課題】メトロノーム付き録音装置において、メトロノームの動作および録音中であることの表示との双方の視認をしやすくする。【解決手段】制御部３０は、録音手段として音声を録音するとともに、メトロノーム手段として指定されたテンポを出力する。録音／メトロノーム表示手段１３は、表示手段として、録音操作に加えてメトロノーム表示を行う場合に、録音手段による録音中を示す表示およびメトロノーム手段によるテンポの表示を、同一の表示素子を用いて表示する。【選択図】図１
2011107370.tif 000002
【特許請求の範囲】
【請求項１】
音声を録音する録音手段と、
指定されたテンポを出力するメトロノーム手段と、
前記録音手段による録音中を示す表示および前記メトロノーム手段によるテンポの表示を、同一の表示素子を用いて表示する表示手段と、
を備えることを特徴とする、メトロノーム付き録音装置。
【請求項２】
前記表示手段は、前記録音中を示す表示と、前記テンポの表示とを、同一の表示素子を用いて、前記表示部の輝度を異ならせて表示することを特徴とする、請求項１に記載のメトロノーム付き録音装置。
【請求項３】
前記表示手段は、前記録音中を示す表示を第１の輝度で表示し、前記テンポの表示を、前記第１の輝度より高い第２の輝度で表示することを特徴とする、請求項２に記載のメトロノーム付き録音装置。
【請求項４】
前記表示手段は、前記録音中を示す表示と、前記テンポの表示とを、同一の表示素子を用いて、前記表示部の表示色を異ならせて表示することを特徴とする、請求項１または２に記載のメトロノーム付き録音装置。
【請求項５】
音声を録音する録音ステップ、
指定されたテンポを出力するメトロノーム出力ステップ、
前記録音ステップによる録音中を示す表示および前記メトロノーム出力ステップによるテンポの表示を、同一の表示素子を用いて表示する表示ステップと、
を含むことを特徴とする、メトロノーム付き録音装置の制御方法。
【請求項６】
請求項５に記載のメトロノーム付き録音装置の制御方法の各ステップをコンピュータに実行させるプログラム。
【発明の詳細な説明】
【技術分野】
【０００１】
本発明は、メトロノーム付き録音装置、メトロノーム付き録音装置の制御方法及びプログラムに関する。
【背景技術】
【０００２】
近年、ポータブル型の録音装置が普及している。このような録音装置は、取得した音声信号をデジタル信号に変換して、ＨＤＤ（Hard Disc Drive）やフラッシュメモリ等の記録媒体に記録する。
さらに、電子メトロノームも普及しており、所定のテンポやリズムを電子音および液晶表示装置に表示したアニメーション等で表示する。さらには、電子メトロノーム機能を有したメトロノーム付き録音装置も知られている。
【０００３】
従来のメトロノーム付き録音装置を、図７により説明する。
従来のメトロノーム付き録音装置１００は、表示部１１１、表示部１１１を用いたメトロノーム機能としてテンポ等を視認可能に表示するメトロノーム表示部１１２、録音中であることをＬＥＤ等の発光により視認可能に表示する録音表示部１１３、録音したデータの操作や録音レベル等の設定、メトロノームのパラメータ等を操作する操作部１１４、録音開始を指示する録音操作部１１５、録音する音声を取得するマイクロホン１２１とを備える。
【０００４】
ユーザが操作部１１４を用いて設定したテンポやリズムからなるパラメータによりメトロノームを動作させると、表示部１１１においてメトロノームの振り子を模したメトロノーム表示部１１２が、設定されたパラメータに基づき左右に往復動作する。さらに、録音操作部１１５の操作により録音が開始されると、録音表示部１１３が発光することにより録音中であることを示す。
【０００５】
特許文献１には、入力される楽曲を録音する装置において、メトロノーム音を発生させる録音装置が開示されている。
【先行技術文献】
【特許文献】
【０００６】
【特許文献１】特開２００７−１６３８１５号公報
【発明の概要】
【発明が解決しようとする課題】
【０００７】
従来のメトロノーム付き録音装置においては、メトロノームの動作とともに録音を行う場合、録音表示部１１３の発光などによって録音中であることを示す表示、およびメトロノーム表示部１１２のようにメトロノームの動作を表す表示とは、各々別手段で表示される。
このような構成の装置を用いて楽器の演奏および演奏音の録音を行う場合、演奏者はメトロノーム表示部１１２に意識と視線を集中させるために、何時録音が開始されたのか気付きにくいことがある。さらに、複数の演奏者による録音である場合には、メトロノームの動作と録音中であることの表示とを複数の演奏者が同時に視認することは、さらに困難となる。
【０００８】
本発明はこのような問題点に鑑みなされたものであり、メトロノームの動作および録音中であることの表示との双方が視認しやすい、メトロノーム付き録音装置を提供することを目的とする。
【課題を解決するための手段】
【０００９】
上記目的を達成するために、第１の発明に係るメトロノーム付き録音装置は、  音声を録音する録音手段と、指定されたテンポを出力するメトロノーム手段と、  前記録音手段による録音中を示す表示および前記メトロノーム手段によるテンポの表示を、同一の表示素子を用いて表示する表示手段と、を備えることを特徴とする。
【００１０】
第２の発明に係るメトロノーム付き録音装置は、第１の発明において、前記表示手段は、前記録音中を示す表示と、前記テンポの表示とを、同一の表示素子を用いて、当該表示部の輝度を異ならせて表示することを特徴とする。
【００１１】
第３の発明に係るメトロノーム付き録音装置は、第２の発明において、前記表示手段は、前記録音中を示す表示を第１の輝度で表示し、前記テンポの表示を、前記第１の輝度より高い第２の輝度で表示することを特徴とする。
【００１２】
第４の発明に係るメトロノーム付き録音装置は、第１または第２の発明において、前記表示手段は、前記録音中を示す表示と、前記テンポの表示とを、同一の表示素子を用いて、当該表示部の表示色を異ならせて表示することを特徴とする。
【００１３】
第５の発明に係るメトロノーム付き録音装置の制御方法は、音声を録音する録音ステップ、指定されたテンポを出力するメトロノーム出力ステップ、前記録音ステップによる録音中を示す表示および前記メトロノーム出力ステップによるテンポの表示を、同一の表示素子を用いて表示する表示ステップと、を備えることを特徴とする。
【００１４】
第６の発明に係るプログラムは、第５の発明における各ステップをコンピュータに実行させる。
【発明の効果】
【００１５】
本発明のメトロノーム付き録音装置は、メトロノームの動作および録音中であることの表示との双方を視認しやすくできる。
【図面の簡単な説明】
【００１６】
【図１】本発明におけるメトロノーム付き録音装置のブロック図である。
【図２】本発明の第１の実施例に係るメトロノーム付き録音装置の外観図である。
【図３】本発明の第１の実施例に係るメトロノーム付き録音装置の、録音／メトロノーム表示部の動作を表した図である。
【図４】本発明の第２の実施例に係るメトロノーム付き録音装置の録音／メトロノーム表示部の動作を表した図である。
【図５】本発明の第３の実施例に係るメトロノーム付き録音装置の外観図である。
【図６】本発明の第３の実施例に係るメトロノーム付き録音装置の録音／メトロノーム表示部の動作を表した図である。
【図７】従来のメトロノーム付き録音装置の外観図である。
【発明を実施するための形態】
【００１７】
以下、本発明の第１の実施例におけるメトロノーム付き録音装置について、図１および図２を参照して説明する。図１はメトロノーム付き録音装置のブロック図であり、図２はメトロノーム付き録音装置の外観図である。メトロノーム付き録音装置１は、携帯型や据置型の録音装置、録音再生装置、携帯電話装置、ＰＤＡ（Personal Digital Assistants）、各種メディアプレイヤ等の機能として、録音機能に加えてメトロノーム機能を有するものを対象とする。
【００１８】
メトロノーム付き録音装置１は、制御部２０、表示部１１、メトロノーム表示部１２（図２に図示）、録音／メトロノーム表示部１３、操作部１４、録音操作部１５、記憶部１６、外部Ｉ／Ｆ１７、ＤＡＣ（Digital Analog Converter）１８、出力部１９、ＡＤＣ（Analog Digital Converter）２０、マイクロホン２１、入力部２２を備える。
【００１９】
表示部１１は、後述するメトロノーム表示部１２を含むメトロノームに関連する情報や、録音に係る情報を表示し、例えば液晶や有機ＥＬからなる表示素子により構成される。表示部１１は、タッチパネル機能を有し、後述する操作部１４や録音操作部１５の機能を有していてもよい。メトロノームに関連する情報としては、図２に示すように、メトロノームが動作するテンポやリズムに関する情報である。
【００２０】
メトロノーム表示部１２は、表示部１１においてメトロノームの機能を表示することにより構成される。表示形態は多様であり、例えば図２に示すようにメトロノームの振り子を模した形状を設定されたテンポに合わせて左右に往復動作するような表示などである。
【００２１】
録音／メトロノーム表示部１３は、ＬＥＤ（Light Emitting Diode）等を用いて、後述する録音操作部１５の操作によって録音が開始されるとＬＥＤが発光することにより録音中であることをユーザに認識させ、録音が終了するとＬＥＤが消灯することにより録音中ではないことをユーザに認識させるとともに、メトロノームが動作している場合は、メトロノームの動作に合わせたテンポやリズムをＬＥＤの発光によりユーザに認識させる。
【００２２】
図２において、録音／メトロノーム表示部１3はＬＥＤを用いることにより、ＬＥＤの輝度が表示部の輝度より高くできるため、メトロノームの動作と録音動作の認識を複数のユーザが確実に行うことができる。
【００２３】
操作部１４は、ユーザがメトロノーム付き録音装置１の各種操作を行うためのユーザインターフェースであり、スイッチやタッチセンサによるものに加えて、表示部１１に重畳するタッチパネルなどでもよい。
【００２４】
録音操作部１５は、ユーザがメトロノーム付き録音装置１の録音に係る操作を行うためのユーザインターフェースであり、スイッチやタッチセンサによるものに加えて、表示部１１に重畳するタッチパネルなどでもよい。録音操作部１５は、録音停止の状態で録音操作部１５を押すと録音が開始され、録音を行っている状態で録音操作部１５を押すと録音が停止する。
【００２５】
記憶部１６は、例えばメモリやＨＤＤにより構成され、メトロノーム付き録音装置１の録音機能により録音した音声データや、他の音源より取得した音声データを記憶する。メトロノーム付き録音装置１が動画再生機能を有している場合は、動画データを記憶してもよい。記憶部１６に用いられるメモリやＨＤＤは、メトロノーム付き録音装置１に内蔵されているものに加えて、図示しないメモリカードスロットを介した外部メモリカードや、後述する外部Ｉ／Ｆ１７により接続された外部メモリや外部ＨＤＤでもよい。
【００２６】
外部Ｉ／Ｆ１７は、例えばＵＳＢ（Universal Serial Bus）やＨＤＭＩ（High-Definition Multimedia Interface）端子であり、ＵＳＢ接続される外部のメモリやＨＤＤ、外部装置としてのパーソナルコンピュータ、ＨＤＭＩ接続される外部のオーディオ装置やビデオ装置と接続され、情報の授受を行う。
【００２７】
ＤＡＣ１８は、制御部３０を介して出力されるデジタル音声データをアナログ音声信号に変換し、後述する出力部１９に出力する。
【００２８】
出力部１９は、ＤＡＣ１８によりアナログ変換された音声信号を出力する端子であり、図示しないヘッドホンや外部オーディオ装置を接続するステレオミニジャック、図示しないスピーカを接続するスピーカ端子、またはメトロノーム付き録音装置１に内蔵されるスピーカであってもよい。
【００２９】
ＡＤＣ２０は、後述するマイクロホン２１や入力部２２から入力されるアナログ音声信号をデジタル音声データに変換し、後述する制御部３０に出力する。
【００３０】
マイクロホン２１は、左右各チャンネル分のステレオマイクロホンであり、メトロノーム付き録音装置１の任意の位置に離間して２箇所装着されている。マイクロホンにより取得したアナログ音声信号は、ＡＤＣ２０によりデジタル音声信号に変換される。
【００３１】
入力部２２は、図示しない外部の装置や外部のマイクロホンからのアナログ音声信号を入力する端子であり、ステレオミニジャックなどからなる。入力部２２と出力部１９は、各々設けられてもよく、１つの端子として共用してもよい。
【００３２】
制御部３０は、例えば、ＣＰＵ（Central Processing Unit）、ＲＡＭ（Random Access Memory）、ＲＯＭ（Read Only Memory）、ＤＳＰ（Digital Signal Processor）等を備えて構成され、メトロノーム付き録音装置１の各部を制御する。ＣＰＵはメトロノーム付き録音装置１の各部からの操作信号やデータに基づき、ＲＯＭに記憶された各種プログラムをＲＡＭ上で実行することによって、各部の制御、表示部１１や録音／メトロノーム表示部１３への表示、音声等各種データの処理等を行う。
【００３３】
制御部３０は、マイクロホン２１や入力部２２から入力され、ＡＤＣ２０によりデジタル信号に変換された音声データを、記憶部１６に記録する録音手段としての機能を有し、さらに制御部３０は、操作部１４により設定されたメトロノームのテンポやリズム等に基づき、表示部１１、メトロノーム表示部１２、録音／メトロノーム表示部１３を動作させる、メトロノーム手段としての機能も有する。
【００３４】
次に、メトロノーム付き録音装置１の動作について図３に基づき説明する。図３は、メトロノーム付き録音装置１の録音／メトロノーム表示部１３の動作の一例を表した図であり、縦軸が録音／メトロノーム表示部１３を構成するＬＥＤ等の光源の輝度、横軸が時間を表している。
【００３５】
ここで用いられているＬＥＤは単色のＬＥＤであり、制御部３０により図示しないＬＥＤドライバを制御することにより、ＬＥＤの輝度を可変させる。
【００３６】
メトロノーム付き録音装置１は、録音操作部１５を押して、マイクロホン２１や入力部２２から入力される音声信号の録音を開始すると、録音／メトロノーム表示部１３は第１の輝度で点灯し、再度録音操作部１５を押して録音を停止すると、録音／メトロノーム表示部１３は消灯する。この動作によって、ユーザはメトロノーム付き録音装置１が録音中であることを明確に認識できる。
【００３７】
次に、メトロノーム付き録音装置１において、操作部１４等を用いてメトロノームを動作させると、表示部１１におけるメトロノーム表示部１２が、予め設定されたテンポで往復動作を行うように表示されるとともに、録音／メトロノーム表示部１３は、第１の輝度より輝度の高い第２の輝度または第３の輝度で、テンポに合わせて点滅する。
【００３８】
この場合、メトロノームの設定パラメータがテンポのみである場合は、テンポＴで第２の輝度または第３の輝度のいずれかの輝度で点滅する。図３においては、メトロノームの設定パラメータにテンポ及びリズムが設定されている場合であるため、第２の輝度での点滅が弱拍時、第２の輝度より輝度の高い第３の輝度での点滅が強拍時である。
【００３９】
次に、メトロノームが動作している最中に録音を開始した場合、または録音中にメトロノームの動作を開始した場合は、メトロノームの動作に伴う点滅と、録音中であることを示す点灯とを、同一の録音／メトロノーム表示部１３により行う。図３においては、録音中であることを示す第１の輝度による点灯に対してメトロノームの動作による第２の輝度および第３の輝度による点滅が重畳して行われるため、ユーザはメトロノームのテンポやリズムの動作を認識しながらも録音動作の認識を輝度の違いにより確実に行うことができる。
【００４０】
次に、本発明の第２の実施例におけるメトロノーム付き録音装置について、図４を参照して説明する。図４は、第２の実施例におけるメトロノーム付き録音装置の録音／メトロノーム表示部１３の動作の一例を表した図であり、外観図およびブロック図は図１、図２に示す第１の実施例におけるメトロノーム付き録音装置と同一である。
【００４１】
図４において第１の実施例におけるメトロノーム付き録音装置との差異は、録音／メトロノーム表示部１３が単色のＬＥＤではなく、３色ＬＥＤを用いたことが異なる。３色ＬＥＤとは、１つのＬＥＤ素子中に赤、青、緑の３色からなる発光素子が搭載され、制御部３０により制御される図示しないＬＥＤドライバによって電流を流す端子を制御することにより、赤、青、緑に加えてこれらの混合色を発光でき、赤、青、緑を同時に発光させることにより白色光を得ることができる。
【００４２】
図４において、メトロノーム付き録音装置１が録音を開始すると、録音／メトロノーム表示部１３が赤色で点灯し、録音が停止されると録音／メトロノーム表示部１３は消灯する。
【００４３】
次に、メトロノーム付き録音装置１においてメトロノームを動作させると、表示部１１におけるメトロノーム表示部１２が、予め設定されたテンポで往復動作を行うように表示されるとともに、録音／メトロノーム表示部１３は、録音による点灯とは異なる発光色でテンポに合わせて点滅する。
【００４４】
この場合、メトロノームの設定パラメータがテンポのみである場合は、テンポＴで録音中であることを示す発光色（上記例では赤色）とは異なる発光色で点滅する。図４においては、メトロノームの設定パラメータにテンポおよびリズムが設定されている場合であるため、強拍時は白色で点滅し、弱拍時は青色で点滅する。
【００４５】
メトロノームが動作しているときに録音を開始した場合、または録音時にメトロノームの動作を開始した場合は、メトロノームの動作に伴う点滅と、録音中であることを示す点灯とを、同一の録音／メトロノーム表示部１３により行う。図４においては、録音が開始されたことによる赤色の点灯に対してメトロノームの動作による白色および青色の点滅が連続して行われるため、ユーザはメトロノームのテンポやリズムの動作を認識しながらも録音動作の認識を発光色の違いにより確実に行うことができる。
【００４６】
次に、本発明の第３の実施例におけるメトロノーム付き録音装置について、図５および図６を参照して説明する。図５は第３の実施例におけるメトロノーム付き録音装置の外観図であり、図６は第３の実施例におけるメトロノーム付き録音装置の録音／メトロノーム表示部１３Ｌ、１３Ｒの動作の一例を表した図であり、ブロック図は図１に示す第１の実施例におけるメトロノーム付き録音装置と同一である。
【００４７】
第１の実施例におけるメトロノーム付き録音装置との差異は、録音／メトロノーム表示部１３が１個ではなく２個のＬＥＤで構成されていることであり、図５において、録音／メトロノーム表示部１３は、左側の録音／メトロノーム表示部１３Ｌ、右側の録音／メトロノーム表示部１３Ｒとから構成されている。
【００４８】
図６において、メトロノーム付き録音装置１が録音を開始すると、録音／メトロノーム表示部１３Ｒまたは録音／メトロノーム表示部１３Ｌのいずれかが点灯する。この場合の点灯は図６に示すように第１の輝度で点灯する。
【００４９】
本実施例では、録音／メトロノーム表示部１３Ｒが第１の輝度で点灯し、録音が停止されると録音／メトロノーム表示部１３Ｒは消灯する構成としているが、録音時の点灯は、録音／メトロノーム表示部１３Ｌや双方の点灯でもよく、メトロノーム動作における点灯時の輝度との違いにより録音中であることが認識できればよい。
【００５０】
次に、メトロノーム付き録音装置１においてメトロノームを動作させると、表示部１１におけるメトロノーム表示部１２が、予め設定されたテンポで往復動作を行うように表示されるとともに、録音／メトロノーム表示部１３Ｒおよび録音／メトロノーム表示部１３Ｌは、設定されたテンポとリズムに応じて点滅する。
【００５１】
この場合、メトロノームの設定パラメータがテンポのみである場合は、テンポＴで録音／メトロノーム表示部１３Ｒおよび録音／メトロノーム表示部１３Ｌが交互に点滅する。図６においては、メトロノームの設定パラメータにテンポ及びリズムが設定されている場合であるために、録音／メトロノーム表示部１３Ｒが、強拍を示す点滅を行い、録音／メトロノーム表示部１３Ｌは弱拍を示す点滅を行う。弱拍を示す点滅の輝度は、強拍を示す点滅の輝度より小さい輝度であることが好ましい。
【００５２】
メトロノームが動作しているときに録音を開始した場合、または録音時にメトロノームの動作を開始した場合は、メトロノームの動作に伴う点滅と、録音中であることを示す点灯とを、録音／メトロノーム表示部１３Ｌおよび録音／メトロノーム表示部１３Ｒにより行う。図６においては、録音中であることを示す録音／メトロノーム表示部１３Ｒの第１の輝度による点灯に対してメトロノームの動作による強拍の場合に録音／メトロノーム表示部１３Ｒは第１の輝度より輝度の高い第２の輝度で点滅する。録音／メトロノーム表示部１３Ｌは弱拍に合わせて点滅する。これにより、ユーザはメトロノームの動作を認識しながらも録音動作の認識を複数の表示と輝度の違いにより確実に行うことができる。
【００５３】
本発明の実施の形態は、その要旨を逸脱しない限り、様々に変更可能である。例えば、第１の実施例において、録音中であることを示す点灯とメトロノームの動作による点滅とを、輝度を異ならせて発光させたが、多色発光可能なＬＥＤを用いて、輝度に加えて発光色をも異ならせてもよい。
【００５４】
また、第３の実施形態においては、メトロノーム表示部１２の左右往復動作同期するように録音／メトロノーム表示部１３Ｌと録音／メトロノーム表示部１３Ｒによる左右の点滅を行なってもよい。
【００５５】
また、録音／メトロノーム表示部１３は、ＬＥＤに限らず表示部１１内の表示であってもよい。例えば、表示部１１内の１箇所または２箇所に点滅部を設け、点滅部の色を、録音中を示す場合の色とメトロノームの動作に伴う色とを変化させるようにしてもよい。さらには、メトロノーム表示部１２の表示色が、録音中である場合に変化するように表示してもよい。
【００５６】
また、表示部１１にメトロノーム表示部１２を表示したが、メトロノーム表示部１２を省略してもよく、録音／メトロノーム表示部１３のみでも、メトロノームの動作は表現可能である。
【００５７】
また、録音／メトロノーム表示部１３はメトロノーム付き録音装置に有線または無線で接続された別体に備えられていてもよく、例えば別体にはマイクロホン２１と録音／メトロノーム表示部１３が備えられ、録音対象となるユーザの近くに設置されるようにしてもよい。
【符号の説明】
【００５８】
１：メトロノーム付き録音装置、１１：表示部、１２：メトロノーム表示部、１３：録音／メトロノーム表示部、１４：操作部、１５：録音操作部、１６：記憶部、１７：外部Ｉ／Ｆ、１８：ＤＡＣ、１９：出力部、２０：ＡＤＣ、２１：マイクロホン、２２：入力部、３０：制御部
【図１】
2011107370.tif 000003
【図２】
2011107370.tif 000004
【図３】
2011107370.tif 000005
【図４】
2011107370.tif 000006
【図５】
2011107370.tif 000007
【図６】
2011107370.tif 000008
【図７】
2011107370.tif 000009